(57)【要約】【課題】国家名及び首都名を英語とその他の言語とで並べて表示することで英語学習効果をも向上し、さらには、国花名をも表示して覚えやすくし、学習効果を増進した世界地図の提供。【解決手段】地図を印刷したシート上において、国家名を大陸表示部８毎に表示した複数の国家名表示部９に、通し番号、英語を除く言語による国家名９ａと首都名９ｄ、英語による国家名９ｂと首都名９ｅ、当該国家が表示されている区分欄の座標値９ｃを表示し、大陸別に区分して各大陸に属する各国家の国旗を配すると共に、国旗の近傍に、当該国家の国花名を表示した世界地図。【選択図】図３
0003120372.tif 000002
【実用新案登録請求の範囲】
【請求項１】
地図を印刷したシート上において、当該地図を横方向及び縦方向へ所定の間隔で区切る複数の区分線を表示し、これら区分線で区分されるそれぞれの区分欄の横方向の座標値及び縦方向の座標値を地図の周囲に表示してなる地図部と、
大陸別の異なった色を大陸毎にそれぞれ付してなる複数の大陸表示部と共に、その大陸に該当する国家名を大陸表示部毎に表示した複数の国家名表示部よりなる国家名索引部とを備え、
前記国家名索引部は前記地図部の下部に配置表示し、
前記国家名表示部には、通し番号、英語を除く言語による国家名、英語による国家名、及び当該国家が前記地図部上に表示されている区分欄の座標値を表示し、
前記地図部及び前記国家名索引部の外側には、大陸別に区分して相異なる色が付された複数の細帯体を配して構成した大陸区分識別部を配し、
各大陸区分識別部に応じて当該大陸に属する各国家の国旗を、前記大陸区分識別部に沿って配すると共に、各国家の国旗は、前記国家名表示部中に記載された各国家の通し番号の順に配してなり、
前記国家名表示部に、当該国家の英語を除く言語による首都名と、当該国家の英語による首都名とを表示し、
前記国旗の近傍に、当該国家の国花名を表示したことを特徴とする世界地図。
【請求項２】
前記各国旗の近傍に、当該国旗に係る国家の英語を除く言語による国家名と、当該国旗に係る国家の英語による国家名と、当該国旗に係る国家が前記地図部上に表示されている区分欄の座標値とがそれぞれ表示してある請求項１記載の世界地図。
【考案の詳細な説明】
【技術分野】
【０００１】
本考案は、世界地図に係り、より詳しくは、地図上において、所要の国家を大陸別に非常に容易に探し出すことができると共に、英語による国家名及び該当する国家の国旗を容易に確認できるようにして学習効果を増進させた本考案者の先登録実用新案を改良し、国家の首都名及び国花をも学習できるようにした世界地図に関する。
【背景技術】
【０００２】
従来より使用されている世界地図は、各国家名が直接、地図上の該当する国家領域内に表示されているだけであるため、ユーザが特定の国家を探し出そうとする場合、大陸を確認し、その大陸において地図の隅々まで探さなければならないという煩わしさがあった。
【０００３】
また、英語圏以外の国にあっては、英語による各国家名などは記載されていない場合が多い一方、英語で表記された世界地図は別途製作されていたので、ユーザが特定国家の英語名を覚えることが難しいという不都合があった。
【０００４】
更に、特定国家の国旗などを確認しようとする場合は、別の資料を探さなければならなかった。このように従来の世界地図の利用価値は低いものであった。
【０００５】
そこで、本考案者は、既に、〔特許文献１〕、〔特許文献２〕に示されるように、地図を示した地図部とは別に大陸表示部と国家名表示部とを備えた国家名索引部を表示し、国家名索引部には大陸別に通し番号順に当該国家の英語を除く言語及び英語による国家名と、当該国家の地図部における座標値を同時に表示した世界地図を提案している。
かかる世界地図によれば、ユーザが大陸別に国家名を英語等の言語で容易に覚えることができ、また地図部上の当該国家の位置も容易に確認できる。
【０００６】
さらに、かかる世界地図には、大陸別に区分して構成した大陸区分識別部を表示し、国家の大陸区分と通し番号とを用いて当該国家の国旗を素早く探し出して確認することができ、また世界地図を見ながら特定の国家を容易に見つけることができるなどの点においても優れた学習効果がある。
【０００７】
【特許文献１】大韓民国実用新案登録第３４１１７３号公報
【特許文献２】実用新案登録第３１０８５７０号公報
【考案の開示】
【考案が解決しようとする課題】
【０００８】
しかしながら、かかる世界地図では、国家の首都名、国花名が表示されていないため、国と、首都名や国花名とを関連付けて覚えることができず、国と、首都名や国花名とを関連付けて覚えるには、別途資料を探さなければならず、また資料を探しても、資料上の首都名や国花名を、世界地図上の国と対比させることが煩雑であって覚えることが難しいという問題がある。
【０００９】
本考案は、かかる問題を解決するものであって、その目的は、国家を大陸別に区分して検索できるようにすると共に、国家名及び首都名を英語とその他の言語とで並べて表示することで英語学習効果をも向上し、さらには、国花名をも表示して覚えやすくし、学習効果を増進した世界地図を提供することにある。
【課題を解決するための手段】
【００１０】
上記目的を達成するため、請求項１記載の考案は、地図を印刷したシート上において、当該地図を横方向及び縦方向へ所定の間隔で区切る複数の区分線を表示し、これら区分線で区分されるそれぞれの区分欄の横方向の座標値及び縦方向の座標値を地図の周囲に表示してなる地図部と、大陸別の異なった色を大陸毎にそれぞれ付してなる複数の大陸表示部と共に、その大陸に該当する国家名を大陸表示部毎に表示した複数の国家名表示部よりなる国家名索引部とを備え、前記国家名索引部は前記地図部の下部に配置表示し、前記国家名表示部には、通し番号、英語を除く言語による国家名、英語による国家名、及び当該国家が前記地図部上に表示されている区分欄の座標値を表示し、前記地図部及び前記国家名索引部の外側には、大陸別に区分して相異なる色が付された複数の細帯体を配して構成した大陸区分識別部を配し、各大陸区分識別部に応じて当該大陸に属する各国家の国旗を、前記大陸区分識別部に沿って配すると共に、各国家の国旗は、前記国家名表示部中に記載された各国家の通し番号の順に配してなり、前記国家名表示部に、当該国家の英語を除く言語による首都名と、当該国家の英語による首都名とを表示し、前記国旗の近傍に、当該国家の国花名を表示したことを特徴とする。
【００１１】
請求項２記載の考案は、前記各国旗の近傍に、当該国旗に係る国家の英語を除く言語による国家名と、当該国旗に係る国家の英語による国家名と、当該国旗に係る国家が前記地図部上に表示されている区分欄の座標値とがそれぞれ表示してあることを特徴とする。
【考案の効果】
【００１２】
請求項１記載の本考案では、本考案に係る世界地図は、地図を印刷したシート上において、当該地図を横方向及び縦方向へ所定の間隔で区切る複数の区分線を表示し、これら区分線で区分されるそれぞれの区分欄の横方向の座標値及び縦方向の座標値を地図の周囲に表示してなる地図部と、大陸別の異なった色を大陸毎にそれぞれ付してなる複数の大陸表示部と共に、その大陸に該当する国家名を大陸表示部毎に表示した複数の国家名表示部よりなる国家名索引部とを備え、前記国家名索引部は前記地図部の下部に配置表示し、前記国家名表示部には、通し番号、英語を除く言語による国家名、英語による国家名、及び当該国家が前記地図部上に表示されている区分欄の座標値を表示してあるため、ユーザは、国家名を大陸別に英語による国家名と共に容易に覚えることができ、また、地図部上の該当国家の位置も容易に確認することができる。
【００１３】
また、前記地図部及び前記国家名索引部の外側には、大陸別に区分して相異なる色が付された複数の細帯体を配して構成した大陸区分識別部を配し、各大陸区分識別部に応じて当該大陸に属する各国家の国旗を、前記大陸区分識別部に沿って配すると共に、各国家の国旗は、前記国家名表示部中に記載された各国家の通し番号の順に配してなるので、該当国家が属する大陸の区分と通し番号とを用いて、該当する大陸区分識別部に係る該当する国旗をも容易に探し出して確認することができる。
【００１４】
さらに、前記国家名表示部に、当該国家の英語を除く言語による首都名と、当該国家の英語による首都名とを表示し、前記国旗の近傍に、当該国家の国花名を表示したので、国家名を大陸別に英語による国家名と共に容易に覚えることができ、また、国家の国花名も容易に確認することができる。
【００１５】
このように、世界地図を見ながら特定国家の属する大陸、位置及び国旗などを非常に容易に捜し出すことができると共に、英語による国家名、首都名、さらには国花名をも容易に覚えることができるなど、学習効果の面においても非常に優れた考案である。
【００１６】
請求項２記載の本考案では、前記各国旗の近傍に、当該国旗に係る国家の英語を除く言語による国家名と、当該国旗に係る国家の英語による国家名と、当該国旗に係る国家が前記地図部上に表示されている区分欄の座標値とがそれぞれ表示してあるため、国旗の種類から、特定国家が属する大陸、及び特定国家の位置などを非常に容易に捜し出すことができると共に、英語による国家名をも容易に覚えることができる。
【考案を実施するための最良の形態】
【００１７】
以下、添付図を参照しながら本考案を詳しく説明する。
【００１８】
図１は、本考案に係る世界地図１を示す正面図であり、図２は、図１に示した地図部２の拡大図であり、図３は、図１に示した国家名索引部３の拡大図である。また、図４は、図１に示した世界地図１の部分拡大図であり、本考案の一要部である大陸区分識別部１１及びその近傍の構成を説明するものである。これらの図面と共に本考案を詳しく説明すれば、次の通りである。
【００１９】
すなわち、本考案に係る世界地図１は、次のように２次元的にシートである用紙上に印刷製作してある。シートは用紙に限らずプラスチックであっても良い。シートの形状は世界地図１のような長方形状に限らず、正方形状その他の多角形状、曲面を含む形状であっても良い。
【００２０】
世界地図１は、世界各国の位置を示した地図上に各国の首都名を表記した地図部２を有しており、前記地図上には、当該地図を横方向及び縦方向へ所定の間隔で区切る複数の区分線５，５，…が表示してある。また、前記地図の周囲には、各区分線５，５，…で区分された複数の区分欄６，６，…から所要の区分欄６をユーザが容易に捜し出せるように、座標部７が設けてあり、地図の上縁及び下縁に配した座標部７には、区分欄６，６，…の横方向の位置を示す座標値が例えばアルファベットで、地図の両側縁に配した座標部７には、区分欄６，６，…の縦方向の位置を示す座標値が例えばアラビア数字でそれぞれ表示してある。
【００２１】
この地図部２の下部には、各大陸別に国家名を表示した国家名索引部３が配置してある。
【００２２】
国家名索引部３は、複数の大陸表示部８，８，…と、各大陸表示部８，８，…に連続して１又は複数の国家名表示部９を、各大陸表示部８，８，…別に区分して表示してなり、前記国家名表示部９を構成する欄に比べて大陸表示部８を構成する欄の大きさをやや大きくしてある。これによって、ユーザが大陸表示部８を容易に捜し出せるようになっている。
【００２３】
前記大陸表示部８，８，…は、下地色を大陸別に異なる色相で彩色してあり、後述する国旗表示部４の色相と、大陸別に統一してある。なお、大陸表示部８，８，…の下地色を着色する以外に、大陸表示部８，８，…の枠、又は大陸表示部８，８，…に表示する大陸名の文字等を着色するようにしてもよい。
【００２４】
国家名表示部９には、通し番号と共にユーザの母国語等の使用言語、例えば日本語により国家名を表示した第１国家名９ａと、英語により国家名を表示した第２国家名９ｂとが表示してあり、また、地図部２上の該当国家が位置する区分欄６の縦方向及び横方向の座標値９ｃが表示してある。さらには、ユーザの母国語等の使用言語、例えば日本語によりその国家に対応する首都名を表示した第１首都名９ｄと、英語によりその首都名を表示した第２首都名９ｅとが表示してある。
【００２５】
そして、図３に示した如く、当該大陸表示部８に複数の国家名表示部９，９，…が区分されている場合、各国家名表示部９，９，…に第１国家名９ａ，９ａ，…が、例えば日本語表記であるときは五十音順で表示してある。例えば、国家名索引部３の「アジア」と表記された大陸表示部８に続けて複数の国家名表示部９，９，…が配してあり、各国家名表示部９，９，…には先頭から順に、第１国家名９ａとしてアジア大陸に属する日本語による国家名が五十音順で、先頭からの順番を示す通し番号と共に表示してあり、更に、第１国家名９ａに対応する第２国家名９ｂ、座標値９ｃ、第１首都名９ｄ及び第２首都名９ｅがそれぞれ表示してある。
【００２６】
更に、前述した地図部２及び国家名索引部３の外側、すなわち世界地図１の周縁近傍の部分に、国旗表示部４が配してある。
【００２７】
この国旗表示部４は、地図部２及び国家名索引部３を取り囲むように配した、各大陸名を表記した複数の大陸区分識別部１１，１１，…を有しており、各大陸区分識別部１１，１１，…は縦方向又は横方向に細長く延在する細帯体によって構成されている。細帯体は、大陸表示部８，８，…に対応するよう複数設けられており、それぞれ、対応する大陸表示部８の下地色と同じ色が付してある。図１に示した如く、大陸区分識別部１１，１１，…は、複数段で表記してもよい。
【００２８】
各大陸区分識別部１１，１１，…別に区分して、各大陸区分識別部１１，１１，…の近傍の内側又は外側に、各大陸区分識別部１１，１１，…に沿って、当該大陸に属する国家の国旗１０，１０，…が、前述した国家名索引部３に表示された国家名の順に表示してあり、各国旗１０，１０，…の近傍に、国家名索引部３の対応する第１国家名９ａに表示された通し番号と同じ値の番号、対応する第１国家名９ａ、第２国家名９ｂ、座標値９ｃ及びユーザの母国語等の使用言語、例えば日本語によりその国家の国花名９ｆが表示してある。国旗表示部４は、各大陸区分識別部１１，１１，…、これを構成する細帯体、国旗１０，１０，…、通し番号、第１国家名９ａ、第２国家名９ｂ、座標値９ｃ及び国花名９ｆによって構成されている。
【００２９】
これによって、第１国家名９ａ、第２国家名９ｂ、および該当国旗１０の国家、さらにはその国家の国花名９ｆを、座標値９ｃを用いて地図部２上で容易に捜し出すことができる。なお、この国旗１０の近傍に表示される第２国家名９ｂは、必要に応じて省略しても構わない。国花名９ｆは、英語を併記してもよいし、英語のみで表示してもよい。英語を併記すれば、英語による表示を併せて確認し、覚えることができる。
【００３０】
このように構成した本考案に係る世界地図１は、特定国家の位置を非常に容易に捜すことができ、該当国家、首都の英文名と共に国旗、国花名をも容易に確認することができるものである。
【００３１】
例えば、捜し出そうとする国家が、「アジア」に属するとすれば、地図部２の下方に配した国家名索引部３上に表示された大陸表示部８から「アジア」を捜し出し、また国家名が五十音順に配列されているので、該当国家を国家名表示部９から確認する。
【００３２】
国家名表示部９には、該当国家の日本語による第１国家名９ａと英語による第２国家名９ｂとその首都の日本語による第１国家名９ｄと英語による第２国家名９ｅとが表示されているので、該当国家名、首都名の英語のスペルなどを確認することで英語を学習することができる。
【００３３】
また、座標値９ｃを参照して地図部２の座標部７，７，…に表示された値から該当国家の地図部２上の位置を捜し出すことができるので、該当国家が「アジア」大陸のどの辺に位置しているのかを確認することができる。すなわち、座標値９ｃには、地図部２の地図上を横方向及び縦方向へ区分する各区分線５，５，…で区分される区分欄６の横方向及び縦方向の座標部７の座標値が表示されているので、ユーザは該当座標値９ｃを用いることで、各国の地図上の位置と首都名とを容易に確認できるのである。
【００３４】
また、該当国家の国旗１０をも確認しようとするときは、「アジア」大陸の場合、大陸表示部８上の下地色と同じ色を有する大陸区分識別部１１を地図部２の外側の部分から容易に捜し出すことができ、該当国家の通し番号と同じ通し番号の順に配置された該当国家の国旗１０を容易に捜し出すことができる。
【００３５】
この際、国旗１０の近傍に国花名９ｆが表示されているため、国旗１０と同時にその国家の国花名９ｆを確認でき、容易に覚えることが可能である。このように、世界地図１は、所定の国に関する多種の情報を互いに関連付けて表示するため、教育上の効果に極めて優れている。
【００３６】
以上本考案を説明したが、本考案にかかる世界地図を構成する、地図部、国家名索引部、国旗表示部、大陸表示部、国家名表示部、大陸区分識別部等については前述した形態の各要素に限らず任意に変更可能である。
本考案の実施の形態に記載された効果は、本考案から生じる最も好適な効果を列挙したに過ぎず、本考案による効果は、本考案の実施の形態に記載されたものに限定されるものではない。
【図面の簡単な説明】
【００３７】
【図１】本考案に係る世界地図を示す正面図である。
【図２】図１に示した地図部の拡大図である。
【図３】図１に示した国家名索引部の拡大図である。
【図４】図１に示した世界地図の部分拡大図である。
【符号の説明】
【００３８】
１    世界地図
２    地図部
３    国家名索引部
４    国旗表示部
５    区分線
６    区分欄
７    座標部
８    大陸表示部
９    国家名表示部
９ａ    第１国家名
９ｂ    第２国家名
９ｃ    座標値
９ｄ    第１首都名
９ｅ    第２首都名
９ｆ    国花名
１０    国旗
１１    大陸区分識別部
【図１】
0003120372.tif 000003
【図２】
0003120372.tif 000004
【図３】
0003120372.tif 000005
【図４】
0003120372.tif 000006